【事件の表示】
　特許第３０８００５４号「液晶ディスプレイ装置」の請求項１に係る特許に対する特許異議の申立てについて、次のとおり決定する。
【結　論】
　訂正を認める。
　特許第３０８００５４号の請求項１に係る特許を維持する。
【理　由】
【1】手続の経緯
　特許第3080054号の請求項1に係る発明は、平成1年2月2日に出願された特願平1-24512号の一部を、平成9年12月1日に、特許法第44条第1項の規定に基づいて新たな出願とし、平成12年6月23日にその設定登録がなされ、その後、セイコーエプソン株式会社より特許異議申立がなされ、取消理由通知に対して平成13年7月16日に訂正請求がなされたものである。
　
【2】訂正の適否についての判断
《2-1》訂正の要旨
　特許権者が求めている訂正の内容は、以下のとおりである。
　訂正事項a:
　特許請求の範囲に係る記載を
「〔請求項1〕 垂直方向に平行に配設された複数の第1の信号線と、水平方向に平行に配設された複数の第2の信号線と、これら第1および第2の信号線の各交点にそれぞれ選択素子を介して設けられた液晶セルと、上記第2の信号線を順次走査して1行分の画素を選択するシフトレジスタと、上記選択された1行分の画素に画像信号を書き込むためのパルス信号を生成するシフトレジスタとを有する液晶ディスプレイ装置において、
　上記第1の信号線に供給される画像信号の極性を所定期間ごとに反転して上記第1の信号線の一端から基板上に設けられたスイッチング素子を介して上記画像信号を供給する手段と、点順次に供給される上記画像信号の上記反転ごとにその反転されたそれぞれの期間の映像信号の任意の中間電位を、上記選択された1行分の画素に画像信号を書き込むためのパルス信号を生成するシフトレジスタとは異なるスイッチング素子により上記第1の信号線の他端から上記第1の信号線にプリチャージする手段を設けた、
　ことを特徴とする液晶ディスプレイ装置。」
に訂正する。
　訂正事項b:
　特許明細書(特許公報)段落【0020】を、明りょうでない記載の釈明を目的として、
　「【発明の実施の形態】
　すなわち本発明においては、垂直方向に平行に配設された複数の第1の信号線と、水平方向に平行に配設された複数の第2の信号線と、これら第1および第2の信号線の各交点にそれぞれ選択素子を介して設けられた液晶セルと、第2の信号線を順次走査して1行分の画素を選択するシフトレジスタと、選択された1行分の画素に画像信号を書き込むためのパルス信号を生成するシフトレジスタとを有する液晶ディスプレイ装置において、第1の信号線に供給される画像信号の極性を所定期間ごとに反転して第1の信号線の一端から基板上に設けられたスイッチング素子を介して上記画像信号を供給する手段と、点順次に供給される画像信号の反転ごとにその反転されたそれぞれの期間の映像信号の任意の中間電位を、選択された1行分の画素に画像信号を書き込むためのパルス信号を生成するシフトレジスタとは異なるスイッチング素子により第1の信号線の他端から第1の信号線にプリチャージする手段を設けてなるものである。」に訂正する。
　
《2-2》訂正の目的の適否、新規事項の有無及び拡張・変更の存否
　上記訂正事項aによって訂正された「上記第1の信号線の一端から基板上に設けられたスイッチング素子を介して上記画像信号を供給」及び「上記第1の信号線の他端から」は、願書に添付した明細書の段落番号【0016】、【0022】及び図面に記載した事項の範囲内で特許請求の範囲の減縮を目的とするものであり、上記訂正事項bは、それに伴って不明りょうとなる記載の釈明を目的とするものである。
　そして、これらの訂正は実質上特許請求の範囲を拡張し、又は変更するものでもない。
　
《2-3》むすび
　以上のとおりであるから、上記訂正は、特許法第120条の4第2項及び同条第3項で規定する訂正について、平成6年法律第116号附則第6条第1項の規定によりなお従前の例によるとされる改正前の特許法第126条第1項ただし書き及び同条第2項の規定に適合するので、当該訂正を認める。
　
【3】特許異議の申立てについての判断
《3-1》申立ての理由の概要
　特許異議申立人は、本件の出願は適法な分割ではなく出願日の遡及が認められないものであること、及び刊行物1、2、3を示して本件特許発明は特許法第29条第2項に違反して特許されたものであることを主張している。
　刊行物1:特開昭63-41829号公報 (甲第1号証)
　刊行物2:特開昭60-134293号公報 (甲第2号証)
　刊行物3:特開平2-204718号公報 (甲第3号証) 
　
《3-2》訂正後の発明
　訂正後の請求項1に係る発明(以下、「本件発明」という)は、訂正明細書の特許請求の範囲に記載されたとおりの以下のものである。
　「垂直方向に平行に配設された複数の第１の信号線と、水平方向に平行に配設された複数の第２の信号線と、これら第１および第２の信号線の各交点にそれぞれ選択素子を介して設けられた液晶セルと、上記第２の信号線を順次走査して１行分の画素を選択するシフトレジスタと、上記選択された１行分の画素に画像信号を書き込むためのパルス信号を生成するシフトレジスタとを有する液晶ディスプレイ装置において、
　上記第１の信号線に供給される画像信号の極性を所定期間ごとに反転して上記第１の信号線の一端から基板上に設けられたスイッチング素子を介して上記画像信号を供給する手段と、点順次に供給される上記画像信号の上記反転ごとにその反転されたそれぞれの期間の映像信号の任意の中間電位を、上記選択された１行分の画素に画像信号を書き込むためのパルス信号を生成するシフトレジスタとは異なるスイッチング素子により上記第１の信号線の他端から上記第１の信号線にプリチャージする手段を設けた、
　ことを特徴とする液晶ディスプレイ装置。」
　
《3-3》分割の要件について
《3-3-1》本件発明が原明細書に記載されたものであるか否かについて
　本件の分割の基礎とする特願平1-24512号の、願書に最初に添付された明細書(以下、「原明細書」という。)には、
　「〔発明の概要〕
　本発明は液晶ディスプレイ装置に関し、画像信号の供給される第1の信号線の電位を画像信号の極性反転のタイミングでその中間電位にプリチャージすることによって、画像信号を印加するスイッチング素子等の負担を軽減し、良好な画像の表示が行われるようにしたものである。」(特開平2-204718号公報、1頁右下欄1〜7行参照)、
　「〔発明が解決しようとする課題〕
　ところが上述の装置において、上述のように1水平期間ごとの極性反転が行われていると、例えば表示画像が全白(または全黒)の場合に、入力端子(1)に供給される映像信号は第5図Aに示すようにターゲット電圧に対して白(または黒)のレベルVpが1水平期間ごとに極性反転されたものになっている。これに対して同図Bに示すような駆動パルス信号φH1〜φHmでスイッチング素子M1〜Mmがオンされると、各ラインL1〜Lmの電位は同図Cに示すように変化されることになり、すなわち各ラインL1〜Lmの電位はパルス信号φH1〜φHmの1パルス期間に2Vp変化されることになる。そしてこの場合に、パルス信号φH1〜φHmの1パルス期間は、1水平期間の有効画面期間をm分の1にした極めて短い時間であり、このような短い期間に2Vpの電圧変化を行うためにはスイッチング素子M1〜Mmのオン抵抗が低くなければならず、各素子のサイズを大きくする必要があった。しかしながらこのような素子のサイズを大きくすることは、素子をオンチップ化する場合にチップ面積が増大するだけでなく、関連する水平走査回路(シフトレジスタ(2))等の設計上の制約も厳しくするものである。またスイッチング素子M1〜Mmのサイズを不充分なものとした場合には、各ラインL1〜Lmの信号電位が充分に立ち上がらず、液晶セルの電荷量の書き換えが不充分になって、表示画像のコントラストが低下されるなど、画質が極めて劣化されてしまう問題点があった。この出願はこのような点に鑑みてなされたものである。
〔課題を解決するための手段〕
　本発明は、垂直方向に平行に配設された複数の第1の信号線L1,L2・・・Lmと、水平方向に平行に配設された複数の第2の信号線G1,G2・・・Gnとが設けられ、これらの第1、第2の信号線の各交点にそれぞれ選択素子M11,M12・・・Mnmを介して画素電極P11,P12・・・Pnmが設けられてなる液晶ディスプレイ装置において、上記第1の信号線に供給される画像信号の極性を所定期間ごとに反転すると共に、上記画像信号の極性反転のタイミング(HBLK)で上記第1の信号線の電位を上記画像信号の中間電位(ターゲット端子(3))にプリチャージする手段MR1〜MRmを設けるようにしたことを特徴とする液晶ディスプレイ装置である。
〔作用〕
　これによれば、信号線の電位を映像信号の反転ごとにその中間電位にプリチャージすることによって、信号の変化される幅が小さくされ、スイッチング素子にかかる負担が小さくされて、小さい素子サイズでも表示画像の画質の劣化を防止することができる。
〔実施例〕
　第１図は従来例と同様の単一の液晶ディスプレイ装置の構成を示し、この図において、上述の垂直(Y軸)方向のラインL1〜Lmの下端部にそれぞれスイッチング素子MR1,MR2……MRmが設けられ、これらの素子MR1〜MRmを介してターゲット端子(3)が接続されると共に、これらの素子MR1〜MRmの各制御端子が水平ブランキングパルスHBLKの供給されるリセット端子(5)に接続される。他の構成は従来の技術の装置と同様にされる。」(特開平2-204718号公報、2頁右下欄2〜3頁左下欄10行参照)、
　「さらにプリチャージを行う電圧はターゲット電圧に限らず、映像信号の任意の中間電位を用いることができる。」(特開平2-204718号公報、4頁左上欄6〜8行参照)、
と記載されている。
　第1、2図及びその説明から、上記の記載における液晶ディスプレイ装置は、「垂直方向に平行に配設された複数の第１の信号線と、水平方向に平行に配設された複数の第2の信号線と、これら第1および第2の信号線の各交点にそれぞれ選択素子を介して設けられた液晶セルと、上記第2の信号線を順次走査して１行分の画素を選択するシフトレジスタと、上記選択された１行分の画素に画像信号を書き込むためのパルス信号を生成するシフトレジスタとを有する液晶ディスプレイ装置」であると認められる。
　また、上記の記載における液晶ディスプレイ装置は、画像信号の極性を所定期間ごとに反転して上記第1の信号線の一端から基板上に設けられたスイッチング素子を介して上記画像信号を点順次に供給すると共に、上記第1の信号線に上記画像信号を供給する前の水平ブランキングパルスHBLKに同期して、上記供給される画像信号の上記反転ごとにその反転された映像信号の中間電位を、上記第1の信号線に上記画像信号を供給する手段とは異なるスイッチング素子により上記第1の信号線の他端から上記第1の信号線にプリチャージするものであり、反転された映像信号の中間電位(プリチャージする電位)としてターゲット端子(3)の電位とすることが例示されているものと認められる。ターゲット端子(3)の電位が中間電位の例示であることは、原明細書の「さらにプリチャージを行う電圧はターゲット電圧に限らず、映像信号の任意の中間電位を用いることができる。」という記載から明らかである。また、映像信号の電位の変化は2Vp(第5図参照)であり、プリチャージする中間電位として、映像信号の変化の幅の間にある電位とすることによって、原明細書に記載された効果を奏することは当業者に明らかである。従って、原明細書において「中間電位(ターゲット端子(3))」と記載し、中間電位としてターゲット端子(3)の電位とする実施例は、プリチャージする中間電位をターゲット端子の電位に限定して解釈すべきものでないことは明らかである。
　してみると、原明細書には、「垂直方向に平行に配設された複数の第1の信号線と、水平方向に平行に配設された複数の第2の信号線と、これら第1および第2の信号線の各交点にそれぞれ選択素子を介して設けられた液晶セルと、上記第2の信号線を順次走査して1行分の画素を選択するシフトレジスタと、上記選択された1行分の画素に画像信号を書き込むためのパルス信号を生成するシフトレジスタとを有する液晶ディスプレイ装置において、上記第1の信号線に供給される画像信号の極性を所定期間ごとに反転して上記第1の信号線の一端から基板上に設けられたスイッチング素子を介して上記画像信号を供給する手段と、点順次に供給される上記画像信号の上記反転ごとにその反転されたそれぞれの期間の映像信号の任意の中間電位を、上記選択された1行分の画素に画像信号を書き込むためのパルス信号を生成するシフトレジスタとは異なるスイッチング素子により上記第1の信号線の他端から上記第1の信号線にプリチャージする手段を設けた液晶ディスプレイ装置。」が記載されていると認められる。
　
　なお、特許異議申立人 セイコーエプソン株式会社は、「反転されたそれぞれの期間の映像信号の任意の中間電位」は「中間電位」として2種類設定することを意味することになる旨主張するが、本件の明細書において「プリチャージを行う電圧はターゲット電位に限らず、映像信号の任意の中間電位を用いることができる。」(段落番号【0027】)と説明されており、これは、中間電位として設定すべき電位の範囲を説明しているのであって、前記特許異議申立人の主張のように解釈する余地はなく、本件発明における実施例の如く、設定された後の中間電位は1種類と解するのが相当である。
　
《3-3-2》本件発明が原出願の発明と同一であるか否か
　そして、原出願の請求項に係る発明は、平成11年9月28日付け訂正請求が認められた結果「垂直方向に平行に配設された複数の第1の信号線と、水平方向に平行に配設された複数の第2の信号線と、これら第1および第2の信号線の各交点にそれぞれ選択素子を介して設けられた液晶セルと、上記第2の信号線を順次走査して1行分の画素を選択するシフトレジスタと、上記第1の信号線の一端部に設けられ画像信号をサンプリングして選択された上記1行分の画素に画像信号を順次書き込むシフトレジスタおよびスイッチング素子とが形成された基板を有し、点順次で駆動される液晶ディスプレイ装置において、上記第1の信号線に供給される画像信号の極性を所定期間ごとに反転する手段と、上記第1の信号線の他端部に設けられ上記画像信号の非有効期間に、画像信号を上記第1の信号線に供給するラインとは別ラインから、上記第1の信号線の電位を上記画像信号の上記反転ごとにその反転されたそれぞれの期間の映像信号の任意の中間電位にプリチャージする手段とを有することを特徴とする液晶ディスプレイ装置。」である。
　よって、本件発明(前記「《3-2》訂正後の発明」参照)は、第1の信号線の他端から上記第1の信号線にプリチャージする点で原出願の請求項に係る発明と相違し、両者の発明が同一であるとは認められない。
　
　以上、本件の出願は、適法に分割されたものであり、本件の出願は、平成1年2月2日に出願されたものとみなされる。
　このため、遡及した出願日の後に公知となった刊行物3から容易に発明できたものとすることはできない。
　
《3-4》特許法第29条第2項について
《3-4-1》刊行物に記載された発明
　本件の出願前に公知の、刊行物1、2には、以下の事項が記載されている。
　
刊行物1(特開昭63-41829号公報)
　刊行物1は液晶ディスプレイ装置のプリチャージに関するものであって、
　第2頁左下欄第14行目〜第17行目には、「第11図において、1100は行ライン、1101は列ライン、1102はTFTなどの3端子スイッチング素子、1102'はMIMなどの2端子スイッチング素子、1103は液晶である。」、
　第2図には、「映像信号Eを列ラインへ供給するタイミングとして、各列ラインXI〜Xnへのタイミングが、1水平走査期間(IH)をさらに時分割すること、すなわち点順次駆動法」、
　第3頁左下欄第10行目〜右下欄第12行目には、「本発明の構成では映像信号電圧が列ラインに供給される迄の期間に発生するパルス信号106によって、信号電圧を列ラインに供給する為の制御信号107が、制御回路104から列制御回路102に入力される。また、駆動回路103から出力される映像信号の極性反転信号108の極性反転のタイミングに同期して、電圧レベルが反転する信号電圧109が、電圧源105から出力されて、列制御回路102に入力される。従って、従来の駆動に付加してアクティブマトリクス液晶表示体の行ラインが選択されて列ラインが選択されるまでの時間内に発生する制御信号107によって、信号電圧109が各列ラインに同時に供給される。以上の回路動作のタイミングチャートを第2図に示す。本図は、映像信号の極性が、1水平期間毎に反転する場合(以後IH反転と呼ぶ)である。i番目の行ラインYiが選択されてから1番目の列ラインX1が選択されるまでの時間to'の期間にパルスを発する制御信号によって、前記パルスの時間幅toの時間では信号電圧が、各列ラインに同時に供給される。尚、信号電圧の電位は、映像信号の極性によって反転する。」、
　第4頁左下欄第13行目〜右下欄第3行目には、「従来の列制御回路700に、映像信号電圧701とシフトクロック702が入力され、シフトクロック702は、列制御回路700内のシフトレジスタ用である。711,713......715は、各々前記シフトレジスタの出力であり、712,714......716は、各々列ランイへ映像信号電圧を供給する為の信号ラインである。705,706...710は、各々の列ライン717......719へ、映像信号電圧或いは信号電圧を供給する為の選択用アナログスイッチであり、信号電圧703は制御信号704のタイミングによって、各列ライン717・…・・719へ供給される。」、
　第7図には、「映像信号電圧を列ランイ717...719に供給する為の信号ライン712,714......716と、その信号ライン712,714・・・…716を選択する為の選択用アナログスイッチ706,708......710とは別個に、上述した信号電圧703または704を列ライン717...719に供給するための供給ラインとそれを選択するための選択用アナログスイッチ705,707......709が設けられる。」、
　第4頁右下欄第3行目〜第13行目には、「回路動作としては、ある水平期間の初期に、制御信号704によって、アナログスイッチ705,707......709が一斉にONして、信号電圧703が、各列ライン717,718,719へ同時に供給される。そして、制御信号704によってアナログスイッチ705,707......709が一斉にOFFした後、列制御回路700からの出力711,713......715によって、アナログスイッチ70 6,708......710が順次ONして、各列ライン717,718,719に順次映像信号電圧が供給される。」、
　第3図、第4図及び第3頁右下欄第13行目〜第4頁左上欄第11行目には、「「信号電圧」を生成する回路」、
　第4頁左上欄第12行目〜右上欄第11行目には、「次に、個々の画素液晶に印加される電圧波形を第5図に示す。(n-1)番目の水平期間に画素液晶に書き込まれた映像信号電圧を503,503'で示す。そして、n番目の行ラインが選択されて最初の列ラインが選択されるまでの時間tlで、n番目の行の全画素に信号電圧502が供給されて列ライン側液晶端子電圧が、ある一定の時定数で503から504に変化する。そして、所定の列ラインが選択されるまで液晶端子電圧が保持されて、前記列ラインが選択されている時間t2の間、映像信号電圧501,501'が列ラインに供給されて、列ライン側液晶端子電圧が、ある一定の時定数で、505から506に変化する。ここで、信号電圧502の電圧レベルを上げてやれば、列ライン側液晶端子電圧も全体的に上昇し、点線で示すようになる。従って、信号電圧を変化させることによって、列ライン側液晶端子電圧を、ある一定範囲で変化させることができ、即ち、液晶素子にかかる電圧の実効値を、信号電圧の設定値を変えることによって、ある一定範囲で調整することができることになる。」と記載されている。
　
刊行物2(特開昭60-134293号公報)
　刊行物2は液晶ディスプレイ装置のプリチャージに関するものであって、
　
《3-4-2》対比・判断
　本件発明と、液晶装置のプリチャージについて開示する刊行物1、2に記載された発明とを対比すると、本件発明は「画像信号の上記反転ごとにその反転されたそれぞれの期間の映像信号の任意の中間電位を、上記第1の信号線に上記画像信号を供給する手段とは異なるスイッチング素子により上記第1の信号線の他端から上記第1の信号線にプリチャージする」ものである。
　これに対して、刊行物1のものは、第2図の信号電圧で示されるように、画像信号を反転しない期間と反転する期間とで異なる信号電圧を用いてプリチャージするものであり、反転されたそれぞれの期間の映像信号の任意の中間電位を用いて反転ごとにプリチャージするものではない。さらに信号線の他端(画像信号を供給するスイッチング素子を設けた一端の反対側)から上記第1の信号線にプリチャージすることも記載されていない。さらに、これらの点を示唆する記載もない。
　刊行物2のものは、本来のデータ信号での充電に先立ってn行前の同じ色配列の絵素のデータ信号でプリチャージするものであり反転ごとにその反転されたそれぞれの期間の映像信号の任意の中間電位を用いてプリチャージするものではない。さらに信号線の他端から上記第1の信号線にプリチャージすることも記載されていない。さらに、これらの点を示唆する記載もない。
　また、刊行物1、2の記載に基づいて、液晶ディスプレイ装置の駆動方法における「画像信号の上記反転ごとにその反転されたそれぞれの期間の映像信号の任意の中間電位を、上記第1の信号線に上記画像信号を供給する手段とは異なるスイッチング素子により上記第1の信号線の他端から上記第1の信号線にプリチャージする」点を想到することは当業者といえども容易になしえたものとは認められない。
　そして、本件発明は、上記点により明細書記載の効果を奏するものと認められる。
　よって、本件発明が、刊行物1、2に記載された発明に基づいて当業者が容易に発明できたものであると認めることはできない。
　
《3-5》むすび
　以上のとおりであるから、特許異議申立の理由及び証拠方法によっては、本件の請求項1に係る発明の特許を取り消すことはできない。
　また、他に本件の請求項1に係る発明の特許を取り消すべき理由を発見しない。
　よって、特許法等の一部を改正する法律(平成6年法律第116号)附則第14条の規定に基づく、特許法等の一部を改正する法律の施行に伴う経過措置を定める政令(平成7年政令第205号)第4条第2項の規定により、結論のとおり決定する。
【異議決定日】
平成１３年８月２７日（２００１．８．２７）
【訂正の要旨】
訂正の要旨
　特許権者が求めている訂正の内容は、以下のとおりである。
　訂正事項ａ：
　特許請求の範囲に係る記載を
「〔請求項１〕　垂直方向に平行に配設された複数の第１の信号線と、水平方向に平行に配設された複数の第２の信号線と、これら第１および第２の信号線の各交点にそれぞれ選択素子を介して設けられた液晶セルと、上記第２の信号線を順次走査して１行分の画素を選択するシフトレジスタと、上記選択された１行分の画素に画像信号を書き込むためのパルス信号を生成するシフトレジスタとを有する液晶ディスプレイ装置において、
　上記第１の信号線に供給される画像信号の極性を所定期間ごとに反転して上記第１の信号線の一端から基板上に設けられたスイッチング素子を介して上記画像信号を供給する手段と、点順次に供給される上記画像信号の上記反転ごとにその反転されたそれぞれの期間の映像信号の任意の中間電位を、上記選択された１行分の画素に画像信号を書き込むためのパルス信号を生成するシフトレジスタとは異なるスイッチング素子により上記第１の信号線の他端から上記第１の信号線にプリチャージする手段を設けた、
　ことを特徴とする液晶ディスプレイ装置。」
に訂正する。
　訂正事項ｂ：
　特許明細書（特許公報）段落【００２０】を、明りょうでない記載の釈明を目的として、
　「【発明の実施の形態】
　すなわち本発明においては、垂直方向に平行に配設された複数の第１の信号線と、水平方向に平行に配設された複数の第２の信号線と、これら第１および第２の信号線の各交点にそれぞれ選択素子を介して設けられた液晶セルと、第２の信号線を順次走査して１行分の画素を選択するシフトレジスタと、選択された１行分の画素に画像信号を書き込むためのパルス信号を生成するシフトレジスタとを有する液晶ディスプレイ装置において、第１の信号線に供給される画像信号の極性を所定期間ごとに反転して第１の信号線の一端から基板上に設けられたスイッチング素子を介して上記画像信号を供給する手段と、点順次に供給される画像信号の反転ごとにその反転されたそれぞれの期間の映像信号の任意の中間電位を、選択された１行分の画素に画像信号を書き込むためのパルス信号を生成するシフトレジスタとは異なるスイッチング素子により第１の信号線の他端から第１の信号線にプリチャージする手段を設けてなるものである。」に訂正する。
（５４）【発明の名称】
液晶ディスプレイ装置
（５７）【特許請求の範囲】
　【請求項１】　垂直方向に平行に配設された複数の第１の信号線と、
　水平方向に平行に配設された複数の第２の信号線と、
　これら第１および第２の信号線の各交点にそれぞれ選択素子を介して設けられた液晶セルと、
　上記第２の信号線を順次走査して１行分の画素を選択するシフトレジスタと、
　上記選択された１行分の画素に画像信号を書き込むためのパルス信号を生成するシフトレジスタとを有する液晶ディスプレイ装置において、
　上記第１の信号線に供給される画像信号の極性を所定期間ごとに反転
して上記第１の信号線の一端から基板上に設けられたスイッチング素子を介して上記画像信号を供給
　点順次に供給される上記画像信号の上記反転ごとにその反転されたそれぞれの期間の映像信号の任意の中間電位を、上記選択された１行分の画素に画像信号を書き込むためのパルス信号を生成するシフトレジスタとは異なるスイッチング素子により
上記第１の信号線の他端から
　ことを特徴とする液晶ディスプレイ装置。
【発明の詳細な説明】
　【０００１】
　【発明の属する技術分野】
　本発明は、例えば液晶表示素子をＸ−Ｙマトリクス状に配置して画像の表示を行う液晶ディスプレイ装置に関するものである。
　【０００２】
　【従来の技術】
　例えば液晶を用いてテレビ画像を表示することが提案（特開昭５９−２２０７９３号公報等参照）されている。
　【０００３】
　すなわち図３において、入力端子１には例えばテレビジョンの映像信号が供給される。この入力端子１からの映像信号がそれぞれ例えばＮチャンネルＦＥＴからなるスイッチング素子Ｍ１、Ｍ２・・・Ｍｍを通じて垂直（Ｙ軸）方向のラインＬ１、Ｌ２・・・Ｌｍに供給される。なおｍは水平（Ｘ軸）方向の画素数に相当する数である。
　【０００４】
　さらにｍ段のシフトレジスタ２が設けられ、このシフトレジスタ２に水平周波数のｍ倍のクロック信号Φ１Ｈ、Φ２Ｈが供給される。そしてこのクロック信号Φ１Ｈ、Φ２Ｈによって順次走査される駆動パルス信号φ１Ｈ、φ２Ｈ・・・φＨｍが、シフトレジスタ２の各出力端子からスイッチング素子Ｍ１〜Ｍｍの各制御端子に供給される。なおシフトレジスタ２には低電位（ＶＳＳ）と高電位（ＶＤＤ）が供給され、この２つの電位の駆動パルスが形成される。
　【０００５】
　また、各ラインＬ１〜Ｌｍにそれぞれ例えばＮチャンネルＦＥＴからなるスイッチング素子Ｍ１１、Ｍ１２・・・Ｍｎ１、Ｍ１２、Ｍ２２・・・Ｍｎ２、・・・Ｍ１ｍ、Ｍ２ｍ・・・Ｍｎｍの一端が接続される。なおｎは水平走査線数に相当する数である。このスイッチング素子Ｍ１１〜Ｍｎｍの他端がそれぞれ液晶セルＣ１１、Ｃ１２・・・Ｃｎｍを通じてターゲット端子３に接続される。
　【０００６】
　さらにｎ段のシフトレジスタ４が設けられ、このシフトレジスタ４に水平周波数のクロック信号Φ１Ｖ、Φ２Ｖが供給される。そしてこのクロック信号Φ１Ｖ、Φ２Ｖによって順次走査される駆動パルス信号φＶ１、φＶ２・・・φＶｎが、シフトレジスタ４の各出力端子から水平（Ｘ軸）方向のゲート線Ｇ１、Ｇ２・・・Ｇｎを通じてスイッチング素子Ｍ１１〜ＭｎｍのＸ軸方向の各列（Ｍ１１〜Ｍ１ｍ）、（Ｍ２１〜Ｍ２ｍ）・・・（Ｍｎ１〜Ｍｎｍ）ごとの制御端子にそれぞれ供給される。なお、シフトレジスタ４にもシフトレジスタ２と同様に電圧ＶＳＳとＶＤＤが供給される。
　【０００７】
　すなわちこの回路において、シフトレジスタ２、４には例えば図４のＡ、Ｂに示すようなクロック信号Φ１Ｈ、Φ２Ｈ、Φ１Ｖ、Φ２Ｖが供給される。そしてシフトレジスタ２からは同図のＣに示すように各画素期間ごとに駆動パルス信号φＨ１〜φＨｍが出力され、シフトレジスタ４からは同図のＤに示すように１水平期間ごとに駆動パルス信号φＶ１〜φＶｎが出力される。さらに入力端子１には同図のＥに示すような信号が供給される。
　【０００８】
　そして例えば駆動パルス信号φＶ１、φＨ１が出力されているときに、スイッチング素子Ｍ１とＭ１１〜Ｍ１ｍがオンされ、入力端子１→Ｍ１→Ｌ１→Ｍ１１→Ｃ１１→ターゲット端子３の電流路が形成される。これによって入力端子１に供給された信号とターゲット端子３との電位差が、液晶セルＣ１１に供給される。
　【０００９】
　このためこの液晶セルＣ１１の容量分に、１番目の画素の信号による電位差に相当する電荷がサンプルホールドされる。そしてこの電荷量に対応して液晶の光透過率が変化される。これと同様のことがセルＣ１２〜Ｃｎｍについて順次行われ、さらに次のフィールドの信号が供給された時点で各セルＣ１１〜Ｃｎｍの電荷量が書き換えられる。
　【００１０】
　このようにして、映像信号の各画素に対応して液晶セルＣ１１〜Ｃｎｍの光透過率が変化され、これが順次繰り返されてテレビ画像の表示が行われる。
　【００１１】
　【発明が解決しようとする課題】
　ところで液晶で表示を行う場合には、一般にその信頼性、寿命を長くするため交流駆動が用いられる。例えばテレビジョン画像の表示においては、１フィールドまたは１フレームごとに映像信号を反転させた信号を入力端子１に供給する。また液晶ディスプレイ装置においては表示の垂直方向のシューディング等を防止する目的で信号を１水平期間ごとに反転することが行われている。
　【００１２】
　このため上述の装置において、入力端子１には、例えば図４のＥに示すように１水平期間ごとに反転されると共に１フィールドまたは１フレームごとに反転された信号が供給されている。
　【００１３】
　ところが上述の装置において、上述のように１水平期間ごとの極性反転が行われていると、例えば表示画像が全白（または全黒）の場合に、入力端子１に供給される映像信号は例えば図５のＡに示すようにターゲット電圧に対して白（または黒）のレベルＶｐが１水平期間ごとに極性反転されたものになっている。
　【００１４】
　これに対して同図のＢに示すような駆動パルス信号φＨ１〜φＨｍでスイッチング素子Ｍ１〜Ｍｍがオンされると、各ラインＬ１〜Ｌｍの電位は同図のＣに示すように変化されることになり、すなわち各ラインＬ１〜Ｌｍの電位は駆動パルス信号φＨ１〜φＨｍの１パルス期間に２Ｖｐ変化されることになる。
　【００１５】
　そしてこの場合に、パルス信号φＨ１〜φＨｍの１パルス期間は、１水平期間の有効画面期間を１／ｍにした極めて短い時間であり、このような短い期間に２ＶＰの電圧変化を行うためにはスイッチング素子Ｍ１〜Ｍｍのオン抵抗が低くなければならず、各素子のサイズを大きくする必要があった。
　【００１６】
　しかしながらこのような素子のサイズを大きくすることは、素子をオンチップ化する場合にチップ面積が増大するだけでなく、関連する水平走査回路（シフトレジスタ２）等の設計上の制約も厳しくするものである。
　【００１７】
　またスイッチング素子Ｍ１〜Ｍｍのサイズを不充分なものとした場合には、各ラインＬ１〜Ｌｍの信号電位が充分に立ち上がらず、液晶セルの電荷量の書き換えが不充分になって、表示画像のコントラストが低下されるなど、画質が極めて劣化されてしまう問題点があった。
　【００１８】
　この出願はこのような点に鑑みて成されたものであって、解決しようとする問題点は、従来の装置では素子のオン抵抗を低くしなければならず、素子のサイズを大きくするために設計上の制約が厳しくなったり、また素子のサイズが不充分な場合には表示画像のコントラストが低下されるなど画質が極めて劣化されてしまうというものである。
　【００１９】
　【課題を解決するための手段】
　このため本発明においては、信号線の電位を映像信号の反転ごとにその中間電位にプリチャージするようにしたものであって、これによれば点順次に供給される信号の変化される幅が小さくされ、スイッチング素子にかかる負担が小さくされて、小さい素子サイズでも表示画像の画質の劣化を防止することができる。
　【００２０】
　【発明の実施の形態】
　すなわち本発明においては、垂直方向に平行に配設された複数の第１の信号線と、水平方向に平行に配設された複数の第２の信号線と、これら第１および第２の信号線の各交点にそれぞれ選択素子を介して設けられた液晶セルと、第２の信号線を順次走査して１行分の画素を選択するシフトレジスタと、選択された１行分の画素に画像信号を書き込むためのパルス信号を生成するシフトレジスタとを有する液晶ディスプレイ装置において、第１の信号線に供給される画像信号の極性を所定期間ごとに反転
して第１の信号線の一端から基板上に設けられたスイッチング素子を介して上記画像信号を供給
第１の信号線の他端から
　【００２１】
　【実施例】
　以下、図面を参照して本発明を説明するに、図１は本発明を適用した液晶ディスプレイ装置の一例の構成を示すブロック図である。
　【００２２】
　図１は、図３と同様の単一の液晶ディスプレイ装置の構成を示し、この図１において、上述の垂直（Ｙ軸）方向のラインＬ１〜Ｌｍの下端部にそれぞれスイッチング素子ＭＲ１、ＭＲ２・・・ＭＲｍが設けられる。そしてこれらの素子ＭＲ１〜ＭＲｍを介してターゲット端子３が接続されると共に、これらの素子ＭＲ１〜ＭＲｍの各制御端子が水平ブラッキングパルスＨＢＬＫの供給されるリセット端子５に接続される。その他の構成は図３の装置と同様にされる。
　【００２３】
　そしてこの装置において、例えば図２のＡに示すような全白（または全黒）の映像信号が入力端子１に供給され、同図のＢに示すような駆動パルス信号φＨ１〜φＨｍでスイッチング素子Ｍ１〜Ｍｍがオンされた場合に、リセット端子５には同図のＣに示すような水平ブランキングパルスＨＢＬＫが供給され、これによってスイッチング素子ＭＲ１〜ＭＲｍがオンされる。
　【００２４】
　このため各ラインＬ１〜Ｌｍの電位は、各水平ブランキングパルスＨＢＬＫの期間にターゲット電圧にプリチャージされ、さらに駆動パルス信号φＨ１〜φＨｍの期間にこのターゲット電圧から映像信号の電位に変化される。
　【００２５】
　従ってこの装置において、パルス信号φＨ１〜φＨｍの１パルス期間に変化される信号は最大Ｖｐとなり、従来の装置の１／２にすることができる。このため小さい素子のサイズでも液晶セルの電荷量の書き換えを充分に行うことができ、表示画像のコントラストの低下等による画質の劣化を防止することができる。さらに素子サイズの増大によるチップ面積の増加や、設計上の制約が生じることもないものである。
　【００２６】
　こうしてこの装置によれば、信号線の電位を映像信号の反転ごとにその中間電位にプリチャージすることによって、点順次に供給される信号の変化される幅が小さくされ、スイッチング素子にかかる負担が小さくされ、スイッチング素子にかかる負担が小さくされて、小さい素子サイズでも表示画像の画質の劣化が防止することができるものである。
　【００２７】
　なお上述の装置においてスイッチング素子は図示のようなＮＭＯＳ信号に限らずＰＭＯＳあるいはＣＭＯＳ素子でもよい。またリセット端子５に供給される信号も水平ブランキングパルスに限らず映像信号の非有効期間の信号であればいずれでもよい。さらにプリチャージを行う電圧はターゲット電圧に限らず、映像信号の任意の中間電位を用いることができる。
　【００２８】
　【発明の効果】
　従って請求項１の発明によれば、信号線の電位を映像信号の反転ごとにその中間電位にプリチャージすることによって、点順次に供給される信号の変化される幅が小さくされ、スイッチング素子にかかる負担が小さくされて、小さい素子サイズでも表示画像の画質の劣化を防止することができるものである。
　【００２９】
　これによって、従来の装置では素子のオン抵抗が低くなければならず、素子のサイズを大きくするために設計上の制約が厳しくなったり、また素子のサイズが不充分な場合には表示画像のコントラストが低下されるなど画質が極めて劣化されてしまうなどの問題点があったものを、本願の発明においてこれらの問題点を容易に解消することができるものである。
【図面の簡単な説明】
　【図１】
　本発明の適用される液晶ディスプレイ装置の一例の構成図である。
　【図２】
　その動作の説明のための図である。
　【図３】
　従来の液晶ディスプレイ装置の構成図である。
　【図４】
　その説明のための図である。
　【図５】
　その説明のための図である。
　【符号の説明】
　Ｌ１〜Ｌｍ…垂直信号線、Ｇ１〜Ｇｎはゲート線、Ｍ１〜Ｍｍ，ＭＲ１〜ＭＲｍ，Ｍ１１〜Ｍｎｍはスイッチング素子、Ｃ１１〜Ｃｎｍ…液晶セル、１…入力端子、２，４…シフトレジスタ、３ターゲット端子、５…リセット端子